(57)【要約】【課題】電源電圧の周波数の違いやその変動に拘らず、所望の制御動作を維持する駆動制御装置を提供する。【解決手段】交流入力電圧Ｖａｃを受けて発光素子ＬＭＰへの通電をＯＮ／ＯＦＦ制御する駆動部２と、交流入力電圧Ｖａｃが所定レベルを超えるとＯＮ動作をしてパルス電圧を生成するパルス生成部３と、発光素子ＬＭＰの輝度を規定する指示信号ＳＧを受けると共に、パルス生成部３からパルス電圧Ｖｏを受けるコンピュータ回路ＭＩＣと、交流入力電圧Ｖａｃを整流してコンピュータ回路の電源電圧Ｖｃｃを生成する電源部１と、を設ける。コンピュータ回路ＭＩＣは、パルス電圧Ｖｏに基づいて交流入力電圧の周波数を定常的に把握する第１手段ＳＴ１２と、把握された周波数と、指示信号とに基づいて、駆動部の駆動タイミングを決定する第２手段ＳＴ１６と、駆動タイミングに達する毎に、駆動部２に駆動パルスを出力する第３手段ＳＴ１８，ＳＴ２０と、を有する。【選択図】図１
2010033754.tif 000002
【特許請求の範囲】
【請求項１】
交流入力電圧を受けて発光素子への通電をＯＮ／ＯＦＦ制御する駆動部と、
前記交流入力電圧が所定レベルを超えるとＯＮ動作をしてパルス電圧を生成するパルス生成部と、
前記発光素子の輝度を規定する指示信号を受けると共に、前記パルス生成部から前記パルス電圧を受けるコンピュータ回路と、
前記交流入力電圧を整流して前記コンピュータ回路の電源電圧を生成する電源部と、を設け、
前記コンピュータ回路は、前記パルス電圧に基づいて、前記交流入力電圧の周波数を定常的に把握する第１手段と、把握された前記周波数と、前記指示信号とに基づいて、前記駆動部の駆動タイミングを決定する第２手段と、前記駆動タイミングに達する毎に、前記駆動部に駆動パルスを出力する第３手段と、を有して構成されていることを特徴とする電力機器の駆動制御装置。
【請求項２】
前記電源部は、電源トランスを使用することなく構成されている請求項１に記載の電力機器の駆動制御装置。
【請求項３】
前記電源部は、
交流入力電圧を受けて第１コンデンサを逆方向に充電する、第１コンデンサ及び第１ダイオードの第１直列回路と、
第１直列回路に並列接続され、交流入力電圧を受けて第２コンデンサを順方向に充電する、第２コンデンサ及び第２ダイオードを含んだ第２直列回路と、を有して構成され、第２コンデンサの両端電圧が、これに並列接続された電圧制限素子によって所定レベルに維持されている請求項２に記載の電力機器の駆動制御装置。
【請求項４】
第２コンデンサは、第１コンデンサの５０倍以上の静電容量を有している請求項３に記載の電力機器の駆動制御装置。
【請求項５】
前記パルス生成部は、
交流入力電圧を受けて順方向電流を流す、ツェナーダイオード、ダイオード、及び電流制限抵抗を含んだ直列回路と、
前記電源部が生成した電源電圧を受けるスイッチング素子及び負荷抵抗の直列回路と、前記ダイオードに並列接続されて、前記スイッチング素子の入力電圧を生成するバイアス抵抗と、を有して構成され、
交流入力電圧を受けてツェナーダイオードに逆方向電流が流れると、前記バイアス抵抗の両端電圧に基づいて前記スイッチング素子がＯＮ動作するよう構成されている請求項１〜４の何れかに記載の電力機器の駆動制御装置。
【請求項６】
前記電源部が生成する電源電圧が所定レベルを下回ると、コンピュータ回路をリセット状態に維持する動作禁止回路を更に設けた請求項１〜５の何れかに記載の電力機器の駆動制御装置。
【請求項７】
前記駆動部は、前記発光素子に直列接続されるトライアックと、前記トライアックのゲート端子と通電端子とを接続する抵抗と、前記駆動パルスを受けてＯＮ動作すると、前記抵抗の電流路を形成するスイッチング回路と、を有して構成されている請求項１〜６の何れかに記載の電力機器の駆動制御装置。
【発明の詳細な説明】
【技術分野】
【０００１】
本発明は、簡易な構成でありながら、交流入力電圧の周波数変動に拘らず、所望の動作を実現する電力機器の駆動制御装置に関する。
【背景技術】
【０００２】
電力機器のうち、例えば、調光器は、照明器具の明るさを自在に調整できることから、ホテルやレストランなどに限らず、一般家庭でも部屋のムード作りなどの用途に活用されている。そして、明るさの調整は、一般に、リモコン装置などを介して行われる。
【０００３】
照明器具は、一般に、商用電源を受けて発光しており、調光器は、リモコン装置から受けた調光率に応じて、照明器具の動作時間を位相制御することで明るさを調整している。実際には、調光率によって規定される位相角θが、駆動タイミングを規定する時間データに換算されて、照明器具が駆動される。駆動タイミングは、商用電源の周波数ｆと位相ラジアン角θに対応して、θ／（２＊π＊ｆ）となる。
【０００４】
商用電源の周波数ｆは、日本では、地域に応じて５０Ｈｚと６０Ｈｚの場合があり、切換えスイッチなどを設けることで、何れの地域でも、所望の調光動作ができるようになっている。
【発明の開示】
【発明が解決しようとする課題】
【０００５】
しかしながら、切換えスイッチによって、一々周波数を設定するのはユーザにとって煩雑であり、しかも、その設定を間違えるおそれもある。
【０００６】
また、商用電源で使用する場合には、その周波数は適切に管理されて一定であるが、例えば、船舶などのように、自前の発電機を使用するような場合には、その周波数が少なからず変動するので、所望の調光動作が実現できないおそれがある。
【０００７】
これらの問題は、単に、調光器における調光動作に限ったものではなく、例えば、ファンモータにおける風量調整や、燃料供給ポンプにおける液量調整などでも同様であり、したがって、電源周波数の変動に拘らず、所望の制御動作を実現できる簡易な構成が強く望まれるところである。
【０００８】
本発明は、上記の問題点に鑑みてなされたものであって、電源電圧の周波数の違いやその変動に拘らず、所望の制御動作を実現する簡易な構成の駆動制御装置を提供することを目的とする。
【課題を解決するための手段】
【０００９】
上記の目的を達成するため、本発明に係る電力機器の駆動制御装置は、交流入力電圧を受けて発光素子への通電をＯＮ／ＯＦＦ制御する駆動部と、前記交流入力電圧が所定レベルを超えるとＯＮ動作をしてパルス電圧を生成するパルス生成部と、前記発光素子の輝度を規定する指示信号を受けると共に、前記パルス生成部から前記パルス電圧を受けるコンピュータ回路と、前記交流入力電圧を整流して前記コンピュータ回路の電源電圧を生成する電源部と、を設け、前記コンピュータ回路は、前記パルス電圧に基づいて、前記交流入力電圧の周波数を定常的に把握する第１手段と、把握された前記周波数と、前記指示信号とに基づいて、前記駆動部の駆動タイミングを決定する第２手段と、前記駆動タイミングに達する毎に、前記駆動部に駆動パルスを出力する第３手段と、を有して構成されている。
【００１０】
前記電源部は、好ましくは、電源トランスを使用することなく構成される。このような構成を採ると、交流入力電圧の供給ラインと駆動制御装置の内部回路が絶縁されないので、例えば、不用意に器具に触れると感電するおそれもある。しかし、例えば、駆動制御装置を操作するリモコン装置を設けることで、人手に触れない場所に駆動制御装置を配置することができ、上記の問題に対処できる。
【００１１】
前記電源部は、好ましくは、交流入力電圧を受けて第１コンデンサを逆方向に充電する、第１コンデンサ及び第１ダイオードの第１直列回路と、第１直列回路に並列接続され、交流入力電圧を受けて第２コンデンサを順方向に充電する、第２コンデンサ及び第２ダイオードを含んだ第２直列回路と、を有して構成され、第２コンデンサの両端電圧が、これに並列接続された電圧制限素子によって所定レベルに維持される。
【００１２】
電圧制限素子は、典型的にはツェナーダイオードである。第２コンデンサは、好ましくは第一群と第二群のコンデンサによって構成され、最適には、各群のコンデンサには各々ツェナーダイオードを並列接続すべきである。この場合、一方のツェナーダイオードを、電源電圧より高い降伏電圧とし、他方のツェナーダイオードを、電源電圧に一致する降伏電圧とすべきである。
【００１３】
何れにしても、第２コンデンサは、第１コンデンサの５０倍以上の静電容量を有しているのが好適である。
【００１４】
前記パルス生成部は、交流入力電圧を受けて順方向電流を流す、ツェナーダイオード、ダイオード、及び電流制限抵抗を含んだ直列回路と、前記電源部が生成した電源電圧を受けるスイッチング素子及び負荷抵抗の直列回路と、前記ダイオードに並列接続されて、前記スイッチング素子の入力電圧を生成するバイアス抵抗と、を有して構成され、交流入力電圧を受けてツェナーダイオードに逆方向電流が流れると、前記バイアス抵抗の両端電圧に基づいて前記スイッチング素子がＯＮ動作するよう構成されているのが好適である。
【００１５】
本発明は、前記電源部が生成する電源電圧が所定レベルを下回ると、コンピュータ回路をリセット状態に維持する動作禁止回路を更に設けるのが効果的である。また、前記駆動部は、前記発光素子に直列接続されるトライアックと、前記トライアックのゲート端子と通電端子とを接続する抵抗と、前記駆動パルスを受けてＯＮ動作すると、前記抵抗の電流路を形成するスイッチング回路と、を有して構成するのが好適である。
【発明の効果】
【００１６】
上記した本発明によれば、簡易な回路構成でありながら、電源電圧の周波数変動に拘らず、所望の駆動制御動作を維持することができる。
【発明を実施するための最良の形態】
【００１７】
以下、実施例に基づいて本発明を更に詳細に説明する。図１は、電力機器の駆動制御装置の一実施例として、調光器ＥＱＵの回路構成を示す回路図である。この調光器ＥＱＵは、交流入力電圧Ｖａｃを受ける白熱ランプＬＭＰについて、リモコン受信装置ＲＶから受ける調光率データＳＧに基づいて、その点灯時間を位相制御する制御装置である。交流入力電圧Ｖａｃは、実効値１００Ｖで周波数５０Ｈｚ又は６０Ｈｚの商用電源だけでなく、電源周波数が安定しない発電機の出力も使用可能である。
【００１８】
この調光器ＥＱＵは、交流入力電圧Ｖａｃから直流電源電圧Ｖｃｃ（＝５Ｖ）を生成する電源部１と、トライアックＱ１とスイッチングトランジスタＱ３とを中心とする駆動部２と、交流入力電圧Ｖａｃをパルス電圧に変換するパルス生成部３と、ワンチップマイコンＭＩＣとを有して構成されている。
【００１９】
電源部１は、ヒューズＦＵを通して交流入力電圧Ｖａｃを受けるサージアブソーバＳＡ１と、整流用ダイオードＤ１，Ｄ２と、コンデンサＣ３〜Ｃ８と、コンデンサＣ１１と、ツェナーダイオードＺＤ１，ＺＤ２と、電流制限抵抗Ｒ３とで構成されている。以下、説明の都合上、交流入力電圧Ｖａｃの上側をＶｕラインとし、下側をＶｄラインと称することがある。
【００２０】
サージアブソーバＳＡ１には、コンデンサＣ３が並列接続され、コンデンサＣ３に並列に、コンデンサＣ４とダイオードＤ１の直列回路が接続されている。ダイオードＤ１は、交流入力電圧が負の半波（Ｖｄラインがプラス）の時に導通する方向に接続されている。
【００２１】
ツェナーダイオードＺＤ１とコンデンサＣ５とは並列接続され、これにダイオードＤ２が直列に接続されている。そして、ツェナーダイオードＺＤ１及びコンデンサＣ５と、ダイオードＤ２との直列回路が、ダイオードＤ１に並列接続されている。ダイオードＤ２は、交流入力電圧が正の半波（Ｖｕラインがプラス）の時に導通する方向に接続されている。また、ツェナーダイオードＺＤ１は、Ｖｕラインがプラスであって、ツェナーダイオードＺＤ１の両端電圧が、例えば＋１５Ｖを超えると降伏する素子が使用されている。コンデンサＣ５は、コンデンサＣ４より十分大容量であり、例えば、１００倍程度の静電容量となっている。
【００２２】
ツェナーダイオードＺＤ２とコンデンサＣ６とコンデンサＣ７とコンデンサＣ８とが並列接続され、これらに抵抗Ｒ３が直列に接続されている。ツェナーダイオードＺＤ２その他と、抵抗Ｒ３との直列回路は、ツェナーダイオードＺＤ１及びコンデンサＣ５に並列に接続されている。
【００２３】
ここで、ツェナーダイオードＺＤ２は、Ｖｕラインがプラスであって、ツェナーダイオードＺＤ２の両端電圧が、例えば＋５Ｖを超えると降伏する素子が使用されている。また、コンデンサＣ８は、十分に大容量であり、例えば、０．０１Ｆ程度の静電容量となっている。したがって、この実施例では、コンデンサＣ８の両端電圧が、安定した直流電圧５Ｖとなる。言い換えると、本実施例では、交流入力電圧ＶａｃのＶｕライン（コンデンサＣ８の上側）が電源電圧ラインＶｃｃであり、コンデンサＣ８の下側がコモンラインＣＯＭとなる。
【００２４】
以上の通り、本実施例の電源部１では、電源トランスを使用することなく、交流入力電圧１００Ｖから、ダイオードＤ１，Ｄ２とツェナーダイオードＺＤ１，ＺＤ２とコンデンサＣ３〜Ｃ８だけで、直流電圧５Ｖを生成している。したがって、電源トランスを使用する場合や、スイッチング電源回路を使用する場合に比べ、格段に回路構成が簡素化される。
【００２５】
以下、念のために電源部１の動作を補充説明する。ダイオードＤ１、コンデンサＣ４、ダイオードＤ２、コンデンサＣ５〜Ｃ８は、コッククロフト-ウォルトン回路に類似の構成を有している。そのため、Ｖｄラインがプラスとなる半周期では、コンデンサＣ４→ダイオードＤ１の向きにコンデンサＣ４が充電される。
【００２６】
次に、Ｖｕラインがプラスとなる半周期では、交流入力電圧ＶａｃにコンデンサＣ４の両端電圧を加えた電圧によって、コンデンサＣ５〜Ｃ８→ダイオードＤ２の向きの電流が流れ、大容量のコンデンサ群Ｃ５，Ｃ６，Ｃ８が素早く所定レベルまで充電される。そのため、Ｖｕラインがマイナスの半周期に放電した電荷が、素早く充電されることで、電源電圧Ｖｃｃは殆ど変動することなく一定値を維持する。
【００２７】
駆動部２は、トライアックＱ１と、コンデンサＣ１と、コイルＬ１と、抵抗Ｒ１及びコンデンサＣ２の並列回路と、電流制限抵抗Ｒ２と、ＮＰＮ型のスイッチングトランジスタＱ３と、分圧抵抗Ｒ８，Ｒ９とで構成されている。
【００２８】
抵抗Ｒ１及びコンデンサＣ２は、トライアックＱ１のＴ１端子とＧ端子との間に並列接続され、コンデンサＣ１は、トライアックＱ１のＴ１端子とＴ２端子との間に並列接続されている。そして、トライアックＱ１とコイルＬ１と白熱ランプＬＭＰとが直列接続されて、交流入力電圧Ｖａｃに対する閉回路を形成している。したがって、トライアックＱ１がＯＮ動作すると白熱ランプＬＭＰが点灯し、トラアックＱ１がＯＦＦ動作すると白熱ランプＬＭＰは消灯する。
【００２９】
トライアックＱ１のＧ端子は、抵抗Ｒ２を通して、トランジスタＱ３のコレクタ端子に接続され、トランジスタＱ３のエミッタ端子は、コモンラインＣＯＭに接続されている。また、トランジスタＱ３のベース端子には、ワンチップマイコンＭＩＣの出力が、分圧抵抗Ｒ８，Ｒ８で分圧されて供給されている。ここで、ワンチップマイコンＭＩＣがＨレベルの制御信号ＣＴＬを出力するとトランジスタＱ３がＯＮ動作するよう構成されている。トランジスタＱ３がＯＮ動作するとトライアックＱ１もＯＮ動作し、その後、トランジスタＱ３がＯＦＦ状態になっても、トライアックＱ１は、交流入力電圧Ｖａｃがゼロになるまで、そのＯＮ状態を維持する。
【００３０】
パルス生成部３は、ツェナーダイオードＺＤ３と、電流制限抵抗Ｒ４と、ダイオードＤ３と、コンデンサＣ９と、バイアス抵抗Ｒ５と、ＰＮＰ型のスイッチングトランジスタＱ２と、負荷抵抗Ｒ６及びコンデンサＣ１０の並列回路と、で構成されている。
【００３１】
ツェナーダイオードＺＤ３のアノード端子は、ヒューズＦＵを通して、交流入力電圧ＶａｃのＶｄラインに接続され、そのカソード端子は、抵抗Ｒ４を通してトランジスタＱ２のベース端子に接続されている。なお、特に限定されるものではないが、この実施例では、ツェナーダイオードＺＤ３は、その両端電圧が１０Ｖ程度で降伏する素子が使用されている。
【００３２】
トランジスタＱ２のエミッタ端子は、交流入力電圧ＶａｃのＶｕラインに接続され、コレクタ端子は、負荷抵抗Ｒ６を通してコモンラインＣＯＭに接続されている。そして、トランジスタＱ２のエミッタ端子とベース端子間には、抵抗Ｒ５とコンデンサＣ９とダイオードＤ３とが並列に接続されている。ダイオードＤ３は、交流入力電圧ＶａｃのＶｄラインからＶｕラインへの電流のみを許容する向きに接続されている。
【００３３】
ワンチップマイコンＭＩＣは、電源電圧５Ｖで動作するワンチップマイコンであり、ＣＰＵ・ＲＯＭ・ＲＡＭの他に、タイマ回路と、シリアル受信回路Ｐ１と、パラレル回路Ｐ２，Ｐ３とが内蔵されている。タイマ回路は、トライアックＱ１の駆動タイミングを決定する計時用途で使用され、そのタイマ値は、任意のタイミングでＣＰＵに読取り可能であり、また、ＣＰＵの処理に基づいて、そのタイマ値がリセットされる。
【００３４】
この実施例では、電源電圧Ｖｃｃが所定レベル（例えば３．３Ｖ）を下回ると、ワンチップマイコンＭＩＣが動作を停止するよう、動作禁止回路ＩＮＨが設けられている。動作禁止回路ＩＮＨは、具体的には、ダイオードＤ５と、コンデンサＣ１３と、リセット回路ＲＳＴと、抵抗Ｒ１０と、コンデンサＣ１２とで構成されている。ここで、リセット回路ＲＳＴは、ダイオードＤ５及びコンデンサＣ１３から受ける入力電圧が、所定レベルを下回るとＬレベルのリセット信号を出力する専用ＩＣである。
【００３５】
リセット回路ＲＳＴの出力は、抵抗Ｒ１０及びコンデンサＣ１２によるフィルタ回路を経由して、ワンチップマイコンＭＩＣのリセット端子ＲＥＳＥＴに供給されているので、リセット端子ＲＥＳＥＴがＬレベルである限り、ワンチップマイコンＭＩＣのＣＰＵは、リセット状態を維持し、調光器ＥＱＵの動作禁止機能が実現される。
【００３６】
ところで、ワンチップマイコンＭＩＣのシリアル受信回路Ｐ１は、リモコン受信装置ＲＶから出力されるシリアルデータ（調光率データ）ＳＧを受信する回路である。図示の通り、調光率データは、抵抗Ｒ７を通してシリアル受信回路Ｐ１に伝送される。なお、シリアル通信路とコモンラインＣＯＭとの間には保護用ダイオードＤ４が配置されている。
【００３７】
ここで、白色ランプＬＭＰの調光率を変更するべくリモコンが操作されると、リモコン受信装置ＲＶは、調光率データＳＧを所定のフォーマットで出力するよう構成されている。そして、シリアル受信回路Ｐ１が調光率データＳＧを受信し終わると、ワンチップマイコンＭＩＣのＣＰＵに受信割込みがかかり、その割込み処理プログラムにおいて、調光率データＳＧが取得されるよう構成されている。
【００３８】
ワンチップマイコンＭＩＣのパラレル回路は、入力ポートＰ２と出力ポートＰ３とを含んで構成され、トライアックＱ１の駆動タイミングに達すると、出力ポートＰ３から制御信号（駆動パルス）ＣＴＬが出力されるよう構成されている。一方、入力ポートＰ２には、パルス生成回路３の出力が供給される。
【００３９】
次に、パルス生成回路３の動作を確認する。このパルス生成回路３には、ツェナーダイオードＺＤ３が配置されているので、Ｖｄラインがプラス位相時には、Ｖｄライン→ＺＤ３→電流制限抵抗Ｒ４→Ｄ３→Ｖｕラインの電流が流れるだけであって、トランジスタＱ２はＯＦＦ状態である。一方、Ｖｕラインがプラス位相であって、ツェナーダイオードＺＤ３が降伏し始めると、Ｖｕライン→バイアス抵抗Ｒ５→電流制限抵抗Ｒ４→ツェナーダイオードＺＤ３→Ｖｄラインの経路で電流が流れ始め、バイアス抵抗Ｒ５が所定レベルに達すると、トランジスタＱ２がＯＮ動作する。そして、負荷抵抗Ｒ６の両端電圧Ｖｏは、コンデンサＣ８の両端電圧と同じ５Ｖとなる。
【００４０】
本実施例では、ツェナーダイオードＺＤ３の降伏電圧が、１０Ｖに設定されているので、図２（ａ）（ｂ）に示す通り、負荷抵抗Ｒ６の両端電圧（以下、電源パルスという）Ｖｏは、交流入力電圧Ｖａｃが１０Ｖレベルを超える正の半周期だけＨレベルとなる。そのため、電源パルスＶｏの立上りタイミングと、交流入力電圧Ｖａｃのゼロクロス点との間には、遅れ時間ΔＴが生じるが、電源パルスＶｏのパルス周期Ｔは、交流入力電圧Ｖａｃの周期に正確に一致する。
【００４１】
以上の動作を踏まえて実施例の調光器ＥＱＵの動作内容を説明する。図３は、ワンチップマイコンＭＩＣのＣＰＵの処理内容を示すフローチャートである。調光器ＥＱＵの動作は、図３（ａ）に示すメイン処理と、図３（ｂ）に示す受信割込み処理を有して構成されている。
【００４２】
電源が投入されると、ワンチップマイコンＭＩＣ各部の初期設定処理が実行される（ＳＴ１０）。この処理によって、ワンチップマイコン内部のタイマ回路（カウンタ回路）が、所定時間毎のカウントアップ動作を連続して繰り返すよう設定される。また、初期処理によって、リモコン受信装置ＲＶから送信される調光率データＳＧが、ワンチップマイコン内部のシリアル受信回路において自動的に受信され、受信完了後に受信割込みが起動されるよう設定される。図３（ｂ）に示す通り、受信割込み処理では、取得した調光率データがメモリのワーク領域に格納される。
【００４３】
初期設定処理が終われば、次に、電源パルスＶｏが入力ポートＰ２から取得される（ＳＴ１１）。そして、立上りエッジが検出されるまで同じ動作を繰り返す（ＳＴ１２）。
【００４４】
そして、電源パルスＶｏの立上りが検出されると、ワンチップマイコン内部のタイマ回路のタイマ値を取得して、これをメモリのワーク領域に記憶すると共に、タイマ回路のタイマ値をゼロに初期設定する（ＳＴ１３）。なお、タイマ回路は、初期設定処理において、所定時間毎のカウントアップ動作を連続して繰り返すよう設定されている。また、タイマ回路は、前回のステップＳＴ１３の処理で、カウントアップ動作を初期値ゼロから開始している。
【００４５】
先に説明した通り、ステップＳＴ１２以下の処理は、電源パルスＶｏの立上りエッジに同期して開始されるので、ステップＳＴ１３の処理で取得されたタイマ値は、交流入力電圧Ｖａｃの周期Ｔに対応した値となる（図２(ｂ)参照）。
【００４６】
そこで、ワーク領域に記憶したタイマ値に基づいて交流入力電圧Ｖａｃの周期Ｔを特定する（ＳＴ１３）。また、受信割込み処理で取得しているデータに基づいて調光率ＳＬを特定する（ＳＴ１４）。次に、交流入力電圧の周期Ｔと、調光率ＬＴとに基づいて制御テーブルＴＢＬ（図３（ｃ））を検索して、今回のトリガタイミングτ１、τ２を決定する。トリガタイミングとは、トライアックＱ１をＯＮ動作させるタイミングを意味し、交流入力電圧Ｖａｃの増加時のゼロクロス点からの経過時間τ１，τ２を意味する（図２（ｃ）参照）。
【００４７】
但し、この実施例では、制御テーブルには経過時間τ１のみ規定されており、経過時間τ２は、ステップＳＴ１４の処理で特定された周期Ｔに基づいて、τ１＋Ｔ／２と決定される。なお、前記したゼロクロス点と、ステップＳＴ１３の処理タイミングとの間には、遅れ時間ΔＴが存在するが、その時間が微小であるので無視している。もっとも正確を期すためには、下記の補正値ΔＴを、トリガタイミングτ１，τ２に加算しても良い。
【００４８】
ΔＴ＝Ｔ／（２＊π）＊ＳＩＮ−１（１０／Ｖｍ）・・・（補正式）この補正式においてＶｍは、交流入力電圧Ｖａｃの最大値である。なお、ΔＴは、リアルタイムに計算するのではなく、周期Ｔと補正値ΔＴとを格納した補正テーブルから取得される。
【００４９】
何れにしても、トリガタイミングτ１，τ２が決まると、ステップＳＴ１３のタイミングから計時動作を再実行しているタイマ値を取得して（ＳＴ１７）、タイマ値がトリガタイミングτ１に達するか否かを判定する（ＳＴ１７）。そして、トリガタイミングτ１に達すれば、制御信号ＣＴＬを変化させて駆動パルスを出力する（ＳＴ１８）。この結果、トランジスタＱ３が一時的にＯＮ動作することでトライアックがＯＮ状態になり、交流入力電圧Ｖａｃの正の半波において、白熱ランプＬＭＰが点灯される（図２（ｄ）参照）。
【００５０】
以上の動作が終われば、再度、タイマ値を取得して（ＳＴ１７）、タイマ値がトリガタイミングτ２に一致するのを待つ。そして、タイマ値がトリガタイミングτ２に達すると、制御信号ＣＴＬを変化させて駆動パルスを出力する（ＳＴ１８）。この結果、トランジスタＱ３が一時的にＯＮ動作することでトライアックがＯＮ状態になり、交流入力電圧Ｖａｃの負の半波において、白熱ランプＬＭＰが点灯される（図２（ｄ）参照）。
【００５１】
図４は、トリガタイミングτ１，τ２におけるサイリスタＱ１の動作を説明する図面である。一般に、サイリスタには、サイリスタをＯＮ動作させる４つの動作モードがあり（図４（ａ）参照）、ゲート端子ＧとＴ１端子との間にパルス電圧を加えると、Ｔ１端子とＴ２端子の間にＯＮ電流が流れる。
【００５２】
本実施例では、ゲート端子ＧとＴ１端子との間に加えるパルス電圧を、抵抗Ｒ１及びコンデンサＣ２の並列回路と、電流制限抵抗Ｒ２と、トランジスタＱ３との直列回路で生成している。そして、トランジスアＱ３が駆動パルスを受けてＯＮ動作することで（ＳＴ１８，ＳＴ１９）、ゲート端子ＧとＴ１端子間に負パルス電圧が加わり、サイリスタＱ１が、動作モード２または動作モード３でＯＮ動作する。
【００５３】
以上、本発明の実施例について詳細に説明したが、具体的な記載内容は特に本発明を限定するものではない。特に、図３に示すフローチャートは一例を示したに過ぎず、適宜に変更される。
【図面の簡単な説明】
【００５４】
【図１】実施例に係る調光器の回路構成を示す回路図である。
【図２】図１の各部の波形を示すタイムチャートである。
【図３】ワンチップマイコンの動作を説明するフローチャートである。
【図４】トライアックの動作を説明する図面である。
【符号の説明】
【００５５】
２        駆動部
３        パルス生成部
Ｖａｃ    交流入力電圧
ＬＭＰ    発光素子
ＳＧ      指示信号
ＭＩＣ    コンピュータ回路
Ｖｃｃ    電源電圧
Ｖｏ      パルス電圧
ＳＴ１２  第１手段
ＳＴ１６  第２手段
ＳＴ１８  第３手段
ＳＴ２０  第３手段
【図１】
2010033754.tif 000003
【図２】
2010033754.tif 000004
【図３】
2010033754.tif 000005
【図４】
2010033754.tif 000006